(57)【要約】【課題】  本考案は、扉の施錠位置を上でも下でも換える事ができ、背面板の着脱を繰り返し行っても桟の取付け穴のネジ山が壊れる事なくしっかりと固定され、尚且つ該取付け穴を利用して機器等の設置固定を可能とする木製ＡＶラックを提供する。【解決手段】  底板２にキャスター６を取付け、前面を開口とする木製箱体で、箱体内部に棚板５移動用のダボ取付け穴４と機器固定用のラックマウントアングル８を取付け、前面開口部に観音開き式に開閉する施錠付ガラス扉７を装備し、天板１裏面と底板２表面の上下対称となる位置に各々扉用シリンダー錠１０と連結して機能するカム１１の受座プレート１２を具設させ、さらに後面左右側面板３内側の桟１４へ機器取付け用の規格ピッチに合わせて各々鬼目ナット１５を埋め込み、背面板９をボルトネジで該桟１４へ固定させる構造で木製ＡＶラックを構成している。【選択図】図１
0003203175.tif 000002
【実用新案登録請求の範囲】
【請求項１】
底板裏面にキャスターを取付け、前面を開口とする木製の箱体で、箱体内部に棚板移動用のダボ取付け穴と機器固定用のラックマウントアングルを取付け、前面開口部天板と底板とで観音開き式に開閉するシリンダー錠を付設した左右のガラス扉のヒンジを挾持し、該天板裏面と底板表面の上下対称となる位置へ扉用シリンダー錠に連結して機能するカムの受座プレートを各々具設させ、さらに後面左右側面板内側の桟へ機器取付け用の規格ピッチに合わせて各々鬼目ナットを埋め込み、背面板をボルトネジで該桟へ固定させる事を構造とする木製ＡＶラック。
【考案の詳細な説明】
【技術分野】
【０００１】  本考案は、複数台のＡＶ機器や機材等を箱体内部に収納設置し、前面の開口部に扉を装備させ施錠保管する木製ＡＶラックに関する。
【背景技術】
【０００２】  従来、学校教育の授業や一般企業内での社員研修、又はセキュリティー現場の監視室等で使用されているＡＶ機器用のラックは、床固定用のアジャスターや移動用のキャスターを取付けた木製またはスチール製の箱体で、箱体内部に棚や機器固定用のラックマウントアングルを取付け、箱体前面の開口部より機器等を入れ込み、機器の保護や盗難防止の為、扉にシリンダー錠を取付け施錠し、箱体後面には配線作業やメンテナンスを行う為に着脱可能な背面板を備えた構造となっている。【０００３】  例えば、非特許文献１では上述したように、キャスターを取付けた木製の箱体で箱体内部に棚や機器固定用のラックマウントアングルを取付け、箱体前面開口部に観音開き式に開閉するガラス又は金属製の扉を取付け、左右の扉の上部か下部に施錠の為のシリンダー錠が取付けられており、箱体後面には着脱できる背面板を木ネジで左右の両側面板の桟へ固定する構造となっている。
【先行技術文献】
【非特許文献】
【０００４】
【非特許文献１】「オーロラＡＶ総合カタログ  ＶＯＬ．４５」，株式会社共栄商事  Ｐ．８８−９１
【考案の概要】
【考案が解決しようとする課題】
【０００５】  しかしながら、非特許文献１に掲載されている製品形態では、扉の施錠位置が上部か下部のどちらかに限定されてしまう為、ラックの設置場所の状況や使用者の使い勝手によっては、差障りが生じる可能性がある。又、メンテナンス等でラック後面の背面板を何度も着脱すると木製の桟に木ネジで固定している為、桟の取付け穴のネジ山が壊れてしまいしっかりと止められない事態が発生する恐れがある。【０００６】  そこで本考案は上記問題を鑑み、ラックの設置場所の状況や使用者の使い勝手に応じて扉の施錠位置を上でも下でも換える事ができ、背面板の着脱を繰り返し行っても桟の取付け穴のネジ山が壊れる事なくしっかりと固定でき、さらに該桟の取付け穴を利用して機器等の設置固定を兼用可能とする木製ＡＶラックを提供することを目的としている。
【課題を解決するための手段】
【０００７】  上記目的を達成するために、本考案は底板にキャスターを取付け、前面を開口とする木製の箱体で、箱体内部に棚板移動用のダボ取付け穴と機器固定用のラックマウントアングルを取付け、前面開口部に観音開き式に開閉するガラスの施錠扉を装備し、天板裏面と底板表面に各々扉用シリンダー錠と連結して機能するカムの受座プレートを上下対称となる位置に具設させ、さらに後面左右側面板内側の桟へ機器取付け用の規格ピッチに合わせて各々鬼目ナットを必要数埋め込み、ボルトネジで背面板を桟へ固定させる構造で本考案の木製ＡＶラックを構成している。
【考案の効果】
【０００８】  本考案の効果として、木製ＡＶラックの天板裏面と底板表面に各々扉用シリンダー錠と連結して機能するカムの受座プレートを上下対称となる位置に具設させる為、木製ＡＶラックを設置する部屋の状況や使用する人の勝手に応じて、扉の左右をそのまま入れ換え上下を逆に取付けるだけで上下の施錠位置を換えることが可能で、他の部材等を追加する事がなくコストが掛からず安価である。又、背面板を固定する後面左右側面板内側の桟へ鬼目ナットを埋め込む為、直接木に固定する訳ではないので、繰り返しの着脱を行っても、ネジ山が潰れたりする事がなく、さらに鬼目ナットを機器取付け用の規格ピッチに合わせて埋め込む為、後面にも機器が設置でき利便性が増す。
【図面の簡単な説明】
【０００９】
【図１】本考案の木製ＡＶラックの左側面図である。
【図２】本考案の木製ＡＶラックの鍵位置を上に設置した場合の正面説明図である。
【図３】本考案の木製ＡＶラックの鍵位置を下に設置した場合の正面説明図である。
【図４】本考案の木製ＡＶラックの背面板を外した状態の背面説明図である。
【図５】本考案の木製ＡＶラックの平面図である。
【考案を実施するための形態】
【００１０】  本考案の実施形態を図１乃至図５を参照にして説明する。図１は本考案の木製ＡＶラックの一例を示した左側面図である。図２及び図３は、シリンダー錠を取付けたガラス扉を上鍵設置と下鍵設置にした場合のカムの動作を示した正面説明図である。図４は、本考案の木製ＡＶラックの背面板を外した状態を示した背面説明図であり、図５は、木製ＡＶラックを上面から示した平面図である。
【実施例】
【００１１】  本考案の実施形態における木製ＡＶラックは、図１に示すように、底板２裏面にキャスター６を取付け、前面を開口とする木製の箱体で、箱体内部に棚板５移動用のダボ取付け穴４と機器固定用のラックマウントアングル８を取付け、前面開口部天板１と底板２とで観音開き式に開閉するシリンダー錠１０を付設した左右のガラス扉７のヒンジ１３を挾持し、該天板１裏面と底板２表面に上下対称となる位置へ扉用シリンダー錠１０に連結して機能するカム１１の受座プレート１２を各々具設させ、後面の左右側面板３内側には背面板９と機器等を兼用で固定させる為の取付け規格ピッチに合わせて鬼目ナット１５を埋め込んだ桟１４へ背面板９をボルトネジで固定させる構造となっている。【００１２】  上記記載の天板１裏面と底板２表面に各々扉用シリンダー錠１０と連結して機能するカム１１の受座プレート１２を上下対称となる位置へ具設させる構造となっている為、観音開き式に開閉するガラス扉７の左右を入れ替え、さらに上下を逆に取付ける事により鍵の施錠位置を上下換える事ができ、また、背面の桟１４に機器取付け用の規格ピッチに合わせて鬼目ナット１５を埋め込む事により、繰返しての背面板９の着脱を行っても簡単に取付け用のねじ山が潰れる事はなく、機器等も取付けられる。【００１３】  図２及び図３は、ガラス扉７に取付けたシリンダー錠１０を上部に設置した場合と下部に設置した場合のカム１１の動作を示す説明図であり、ガラス扉７のシリンダー錠１０のカム１１の受座プレート１２を天板１裏面と底板表面２の上下が対称となる位置に取付ける事によって、左右のガラス扉７を入れ替えて上下を逆に取付けるだけで他の部材等を追加する事なく、上下の鍵位置を換える事が可能となる。さらに、カム１１の受座プレート１２のスリットに合わせて天板１と底板２に掘り込みを施す事によって、よりしっかりとカム１１をホールドさせる事ができる。【００１４】  又、左右の側面板３内側にラックマウントアングル８を取付ける事により機器等を側面板３に固定させる事ができ、さらに該左右の側面板３内側に上下に複数個のダボ取付け穴４を施す事により移動可能な棚板５を設置させることができる。【００１５】  図４は、本考案の木製ＡＶラックの背面板９を外した状態の背面説明図であり、後面左右の側面板３内側に固定した桟１４へ鬼目ナット１５を機器取付け用の規格に合わせたピッチで埋め込み、該鬼目ナット１５に合わせて背面板９をボルトネジで固定する。これにより、繰り返し背面板９の着脱を行っても、直接、桟１４へ木ビスで固定しないので、ネジ山が潰れたりする事はない。又、該桟１４に機器等を固定した場合は、機器取付け固定後の余った開口サイズに合わせて背面板９を自在にカットし鬼目ナット１５の穴位置に合わせて、固定させればよい。【００１６】  図５は、本考案の木製ＡＶラックの平面図であり、左右のガラス扉７の上下外側角部付近に取付けたヒンジ１３を天板１と底板２で挾持し、ヒンジ１３の軸を基点に開閉させている。この時、ガラス扉７の開閉が２７０度回転可能となるヒンジ１３を用いれば、ガラス扉７を全開にした時、左右の側面板３の外側に接触する状態まで開くことができ、邪魔にならず便利である。又、底板２後方に機器等の配線ケーブル用通線孔１６を設けることにより見苦しい配線もラックの下に隠せて見栄えも良くなる。さらに、本図には示していないが、シリンダー錠１０のカム１１を受座プレート１２のスリットに嵌入させガラス扉７を施錠した時、スリットの隙間で前後のガタツキが起こらない様にマグネットキャッチを天板１裏面に取付けて防止する事も可能である。
【産業上の利用可能性】
【００１７】  本考案は、木製のＥＩＡラックやＡＶラックに適用されるだけでなく、スチール製品のラックや扉を用いて施錠するラック等、さまざまなラックに応用が可能で産業上の利用可能性を有する。
【符号の説明】
【００１８】  １    天板
２    底板
３    側面板
４    ダボ取付け穴
５    棚板
６    キャスター
７    ガラス扉
８    ラックマウントアングル
９    背面板
１０  シリンダー錠
１１  カム
１２  受座プレート
１３  ヒンジ
１４  桟
１５  鬼目ナット
１６  通線孔
【図１】
0003203175.tif 000003
【図２】
0003203175.tif 000004
【図３】
0003203175.tif 000005
【図４】
0003203175.tif 000006
【図５】
0003203175.tif 000007